(57)【特許請求の範囲】
【請求項１】
指挿入部の手掌側部位を構成する指手掌側構成皮部に、これの手甲側面との間に指挿入空間を区画形成する指空間形成皮を設けるとともに、前記指手掌側構成皮部の指幅方向中間位置における指長方向先端領域には、指手掌側構成皮部の指幅方向両側部位よりも肉厚の反り防止用の拡厚帯部が指長方向に沿って延設されている野球用グローブであって、
前記指空間形成皮が、指手掌側構成皮部の指形状部の指長方向手元領域と指長方向中間領域とに亘る略手元側半領域に設けられているとともに、前記拡厚帯部が、指手掌側構成皮部の指形状部の指長方向先端領域と指長方向中間領域とに亘る略先端側半領域のみに形成されている野球用グローブ。
【請求項２】
前記指手掌側構成皮部を構成する略手形状の基皮の指形状部の手掌側面には、フェルト状の指芯が積層状態で設けられている請求項１記載の野球用グローブ。
【請求項３】
前記拡厚帯部を構成するのに、前記指手掌側構成皮部が指幅方向で複数に分断されているとともに、隣り合う分断部分の各対向辺が手甲側に突出するように両分断部分をＬの字状に折り曲げて両分断部分の対向面どうしを突き合せた状態で、両分断部分が連結され、前記両分断部分どうしの対向面間には、皮革よりも曲げ剛性の高いフェルト状素材からなる補強用の芯材が挟み込まれている請求項１又は２記載の野球用グローブ。
【発明の詳細な説明】
【技術分野】
【０００１】
本発明は、野球やソフトボールなどで捕球するために手に装着して使用される野球用グローブに関する。
【背景技術】
【０００２】
従来、この種の野球用グローブでは、指挿入部が、複数枚の皮革とこれよりも曲げ剛性の高いフェルト状の指芯から指長方向の全長に亘って同等の曲げ剛性で構成されていた（例えば、下記特許文献１参照）。
【０００３】
【特許文献１】特開２００５−１３３０８号公報
【発明の開示】
【発明が解決しようとする課題】
【０００４】
ところが、この種の野球用グローブは球技者の手よりも大きく構成されている関係上、球技者の手に装着した状態で各指挿入部の先端部と球技者の指先との間に隙間が生じるため、球技者の手に装着した状態では、指挿入部の指長方向手元側は球技者の指で支持される一方で、指挿入部の指長方向先端側は球技者の指で支持されない状態になる。
【０００５】
そのため、指挿入部が指長方向の全長に亘って同等の曲げ剛性で構成されている上記従来の野球用グローブでは、捕球時の握り操作やゴロ迎球操作（つまり、グローブ先端部を接地させる操作）及び捕球時のボール衝撃力等で指挿入部の指長方向先端側が手甲側に反り返った状態になって、捕球直後のボールが捕球部から脱落する不具合（つまり、落球する不具合）が多々生じていた。
【０００６】
本発明は、上述の実情に鑑みて為されたものであって、その主たる課題は、指挿入部が手甲側に反り返った状態になるのを効率的に抑止し得る野球用グローブを提供する点にある。
【課題を解決するための手段】
【０００７】
野球用グローブにおいて、
指挿入部の手掌側部位を構成する指手掌側構成皮部の指幅方向中間位置における指長方向先端領域には、指手掌側構成皮部の指幅方向両側部位よりも肉厚の反り防止用の拡厚帯部が指長方向に沿って延設されていてもよい。
【０００８】
上記構成によれば、指手掌側構成皮部の指幅方向中間位置における指長方向先端領域に形成された反り防止用の拡厚帯部によって、指挿入部の曲げ剛性を捕球面側から高めることができて、指挿入部が手甲側に反り返った状態になるのを効果的且つ効率的に抑止することができる。
【０００９】
野球用グローブにおいて、
前記拡厚帯部が、前記指手掌側構成皮部における指長方向手元領域を除く指長方向中間領域と指長方向先端領域とに亘る状態で延設されていてもよい。
【００１０】
すなわち、指手掌側構成皮部における指長方向手元領域が、指挿入部における指装着領域となる一方で、指手掌側構成皮部における指長方向中間領域の全部又は一部は指装着領域から外れることから、上記構成によれば、指挿入部における指の装着に影響しない領域を活用する形態で前記拡厚帯部を形成することができ、これにより、指挿入部が手甲側に反り返った状態になるのを一層効果的且つ効率的に抑止することができる。
【００１１】
野球用グローブにおいて、
前記拡厚帯部を構成するのに、
前記指手掌側構成皮部が指幅方向で複数に分断されているとともに、
隣り合う分断部分の各対向辺が手甲側に突出するように両分断部分をＬの字状に折り曲げて両分断部分の対向面どうしを突き合せた状態で、両分断部分が連結されていてもよい。
【００１２】
上記構成によれば、両分断部分を折り曲げ圧縮状態にすることで拡厚帯部の曲げ剛性を高めることができるとともに、両分断部分の対向面どうしを突き合わせ連結することで両分断部分間の接触摩擦や接着力等で拡厚帯部の曲げ剛性を高めることができて、これらのことから、指挿入部が手甲側に反り返った状態になるのをさらに効果的且つ効率的に抑止することができる。
【００１３】
野球用グローブにおいて、
前記両分断部分どうしの対向面間に補強用の芯材が挟み込まれていてもよい。
【００１４】
上記構成によれば、拡厚帯部を構成する構造を利用する形態で補強用の芯材を取り付けることができるから、拡厚帯部の曲げ剛性を効率的に高めることができ、これにより、指挿入部が手甲側に反り返った状態になるのをさらに効果的且つ効率的に抑止することができる。
そして、本発明の請求項１の特徴構成は、指挿入部の手掌側部位を構成する指手掌側構成皮部に、これの手甲側面との間に指挿入空間を区画形成する指空間形成皮を設けるとともに、前記指手掌側構成皮部の指幅方向中間位置における指長方向先端領域には、指手掌側構成皮部の指幅方向両側部位よりも肉厚の反り防止用の拡厚帯部が指長方向に沿って延設されている野球用グローブであって、
前記指空間形成皮が、指手掌側構成皮部の指形状部の指長方向手元領域と指長方向中間領域とに亘る略手元側半領域に設けられているとともに、前記拡厚帯部が、指手掌側構成皮部の指形状部の指長方向先端領域と指長方向中間領域とに亘る略先端側半領域のみに形成されている点にある。
本発明の請求項２の特徴構成は、前記指手掌側構成皮部を構成する略手形状の基皮の指形状部の手掌側面には、フェルト状の指芯が積層状態で設けられている点にある。
本発明の請求項３の特徴構成は、前記拡厚帯部を構成するのに、前記指手掌側構成皮部が指幅方向で複数に分断されているとともに、隣り合う分断部分の各対向辺が手甲側に突出するように両分断部分をＬの字状に折り曲げて両分断部分の対向面どうしを突き合せた状態で、両分断部分が連結され、前記両分断部分どうしの対向面間には、皮革よりも曲げ剛性の高いフェルト状素材からなる補強用の芯材が挟み込まれている点にある。
【発明を実施するための最良の形態】
【００１５】
図１は野球やソフトボールにおいて球技者の利き手と反対の手（本例では左手）に装着して使用される野球用グローブを示し、この野球用グローブは、手首挿入部１、親指挿入部２ａ、人差指挿入２ｂ、中指挿入部２ｃ、薬指挿入部２ｄ、小指挿入部２ｅを有する手袋状のグローブ本体３と、親指挿入部２ａと人差指挿入部２ｂとの間に配設される皮革製の捕球用ウェブ４とを紐状部材の一例である皮紐５（連結手段の一例）で連結して構成されている。
【００１６】
前記グローブ本体３は、図１、図２に示すように、外郭を形成する手袋状の外袋６の内部に手袋状の内袋７を挿設した二重袋構造に構成されている。当該内袋７は、前記皮紐５及び糸（図示しない）により外袋６に連結されている。
【００１７】
前記外袋６は、多数の皮片を連結した略手形状の手甲側皮革６Ａと、捕球面を形成する略手形状の手掌側皮革６Ｂとを皮紐５及び糸（図示しない）により連結して構成されている。
【００１８】
前記内袋７は、着用者の手掌面に対する接触面を構成する略手形状の基皮８と、当該基皮８の手甲側面との間に各指Ｙの挿入空間を区画形成する親指空間形成皮９ａ、人差指空間形成皮９ｂ、中指空間形成皮９ｃ、薬指空間形成皮９ｄ、小指空間形成皮９ｅとから構成されている。
【００１９】
前記親指空間形成皮９ａは、平面視で基皮８の親指形状部１０ａに対応する形状に形成されているとともに、前記小指空間形成皮９ｅは、平面視で基皮８の小指形状部１０ｅに対応する形状に形成されている。
【００２０】
一方、前記人差指空間形成皮９ｂは、平面視で基皮８の人差指形状部１０ｂの指長方向手元領域Ｒ１と指長方向中間領域Ｒ２とに亘る略手元側半領域に対応する形状に形成され、前記中指空間形成皮９ｃは、平面視で基皮８の中指形状部１０ｃの略手元側半領域に対応する形状に形成され、前記薬指空間形成皮９ｄは、平面視で基皮８の略薬指形状部１０ｄの略手元側半領域に対応する形状に形成されている。
【００２１】
前記親指空間形成皮９ａと小指空間形成皮９ｅの各々は、手元側縁部を除く先端側縁部及び両横側縁部が基皮８の親指形状部１０ａと小指形状部１０ｅの各々の先端側縁部及び両横側縁部に糸１２（連結手段の一例）で連結されている。
【００２２】
一方、前記人差指空間形成皮９ｂと中指空間形成皮９ｃと薬指空間形成皮９ｄの各々は、先端側縁部及び手元側縁部を除く両横側縁部が基皮８の人差形状部１０ｂと中指形状部１０ｃと薬指形状部１０ｄの各々における手元側半領域の両横側縁部に糸１２で縫着連結されている。また、各指空間形成皮９ａ〜９ｄどうしは、隣接する手元側縁部どうしを糸１２で縫着連結されている。
【００２３】
なお、前記基皮８の人差指形状部１０ｂ、中指形状部１０ｃ、薬指形状部１０ｄの各々の手掌側面には、フェルト状の指芯１５が糸１２によって積層状態で連結されている。
【００２４】
そして、前記基皮８の人差指形状部１０ｂ、中指形状部１０ｃ、薬指形状部１０ｄの各々の指幅方向中央部位における指長方向先端領域Ｒ３と指長方向中間領域Ｒ２に亘る指長方向略先端半領域には、指幅方向両側部位よりも肉厚の反り防止用の拡厚帯部１１が指長方向に沿って延設されている。
【００２５】
前記拡厚帯部１１の各々は、人差指形状部１０ｂ、中指形状部１０ｃ、薬指形状部１０ｄの各々の指長方向略先端半領域を指幅方向で複数（本例では２つ）に分断したのち、それら分断部分１１ａ、１１ｂの各対向辺が手甲側に突出するように両分断部分１１ａ、１１ｂをＬの字状に折り曲げた上で、両分断部分１１ａ、１１ｂの対向面どうしを突き合せた姿勢で両分断部分１１ａ、１１ｂを一体的に連結して構成されている。
【００２６】
両分断部分１１ａ、１１ｂの対向面どうしは、皮革よりも曲げ剛性の高いフェルト状素材からなる補強用の芯材１３を介して突き合せた状態（換言すれば、芯材１３を挟み込ませた状態）で連結糸１４（連結手段の一例）により指長手方向の全長に亘って共縫い状態で縫合連結されている。
【００２７】
１６は、前記外袋６及び前記内袋７の適所に貫通形成された連結紐５用の紐通穴１６である。
【００２８】
なお、本実施形態において、内袋７の基皮８、指芯１５及び外袋６の手掌側皮革６Ｂは、指挿入部２ａ〜２ｅの手掌側部位を構成する指手掌側構成皮部に相当する。
【００２９】
〔その他の実施形態〕
（１）拡厚帯部１１の形成部位は、前述の実施形態で示した部位に限らず、外袋６の手掌側皮革６Ｂや内袋７の指芯１３などであってもよい。
【００３０】
（２）前述の実施形態では、拡厚帯部１１が、指挿入部における指長方向先端領域Ｒ３と指長方向中間領域Ｒ２の一部に亘る領域に形成されている場合を例に示したが、指長方向先端領域Ｒ３の一部と指長方向中間領域Ｒ２の一部又は全部に亘る領域、指長方向先端領域Ｒ３の全部と指長方向中間領域Ｒ２の全部に亘る領域、指長方向中間領域に亘らない指長方向先端領域Ｒ３の一部又は全部などに形成されていてもよい。
【００３１】
（３）前述の実施形態では、拡厚帯部１１が指Ｙの配置領域に重ならない状態で形成されている場合を例に示したが、拡厚帯部１１が指Ｙの配置領域の先端側に重なる状態で形成されていてもよい。このようにすれば、拡厚帯部１１による曲げ剛性の向上範囲と球技者の指Ｙによる押圧支持範囲との間の隙間を不存とすることができ、指挿入部の反り返りを一層効果的に抑止することができる。
【００３２】
（４）前述の実施形態では、拡厚帯部１１が、人差指挿入部と中指挿入部と薬指挿入部に形成されている場合を例に示したが、各指挿入部２ａ〜２ｅのいずれか１つ又は各指挿入部２ａ〜２ｅから適宜に選択した複数、或いは、各指挿入部２ａ〜２ｅの全部に形成されていてもよい。
【００３３】
（５）前記拡厚帯部１１の具体的構成は、前述の実施形態で示した構成に限らず種々の構成変更が可能である。例えば、拡厚帯部１１が、指手掌側構成皮部に別部材（例えば、帯状の皮革部材など）を積層状態で配設することによって、或いは、分割部分１１ａ、１１ｂの対向辺部どうしを重合連結することなどによって構成されていてもよい。また、例えば、指手掌側構成皮部を指幅方向中央位置が手甲側に突出する凸字状に折り曲げて構成されていてもよい。
【００３４】
前述の如く、拡厚帯部１１を指手掌側構成皮部に別部材を積層状態で配設して構成する場合において、例えば、少し長めの別部材を配設することによって指挿入部を捕球に適し且つ手甲側に反り返り難い手掌側反り返り状態に保持するように構成されていてもよい。
【００３５】
（６）指挿入部の手掌側部位を構成する指手掌側構成皮部や外袋を構成する部材は、前述の実施形態で示した皮革製のものに限らず、樹脂製やエラストマー素材製や布生地製などであってもよい。
【００３６】
（７）前述の実施形態では、分断部分１１ａ、１１ｂの対向面間に芯材１３が挟み込まれている場合を例に示したが、必ずしも芯材１３を設ける必要はない。
【００３７】
（８）前述の実施形態では、指芯１５が、フェルト状素材から構成されている場合を例に示したが、皮革などから構成されていてもよい。
【００３８】
（９）前述の実施形態では、各部を連結する連結手段の一例として紐状部材５や糸状部材１２、１４を例に示したが、接着剤や連結金具などであってもよい。
【図面の簡単な説明】
【００３９】
【図１】野球用グローブの外観図
【図２】グローブ本体の分解図
【図３】内袋の斜視図
【図４】内袋の斜視図
【図５】内袋の要部の拡大図
【図６】図５のＡ−Ａ線断面図
【符号の説明】
【００４０】
２ａ            指挿入部（親指挿入部）
２ｂ            指挿入部（人差指挿入部）
２ｃ            指挿入部（中指挿入部）
２ｄ            指挿入部（薬指挿入部）
２ｅ            指挿入部（子指挿入部）
Ｒ１            指長方向手元領域
Ｒ２            指長方向中間領域
Ｒ３            指長方向先端領域
８、６Ｂ、１５  指手掌側構成皮部
１１            拡厚帯部
１１ａ、１１ｂ  分断部分
１３            芯材
【図１】
0004633141.tif 000002
【図２】
0004633141.tif 000003
【図３】
0004633141.tif 000004
【図４】
0004633141.tif 000005
【図５】
0004633141.tif 000006
【図６】
0004633141.tif 000007